(57)【要約】【課題】貯留空間占有率が低く、十分な機械的強度を有する地下貯水槽用構造体を提供する。【解決手段】方形の天板２及び底板３の角部を柱状部４で平行に結合した側面に開口部５，６を有する箱型のプレキャストコンクリートブロック１を複数形成する。このコンクリートブロック１を長さ方向に複数連接したブロック壁状体２２を立設すると共に、このブロック壁状体２２を幅方向に間隔をおいて複数設ける。幅方向に隣合うブロック壁状体２２，２２の天板２，２間に型枠部材１０を掛け渡し、この型枠部材１０とこの型枠部材１０上にコンクリートを打設して形成した打設頂版コンクリート部１６とからなる頂版部１７を形成する。【選択図】      図６
2004162445.tif 000002
【特許請求の範囲】
【請求項１】
方形の天板及び底板の角部を柱状部で平行に結合した側面に開口部を有する箱型のプレキャストコンクリートブロックからなり、前記天板の縁に、型枠部材の縁が係合する係合部を形成したことを特徴とする地下貯水槽用コンクリートブロック。
【請求項２】
前記天板と前記底板の間で隣合う前記柱状部を補強部により連結したことを特徴とする地下貯水槽用コンクリートブロック。
【請求項３】
方形の天板及び底板の角部を柱状部で平行に結合した側面に開口部を有する箱型のプレキャストコンクリートブロックを複数形成し、このコンクリートブロックを長さ方向に複数連接したブロック壁状体を立設すると共に、このブロック壁状体を幅方向に間隔をおいて複数設け、幅方向に隣合う前記ブロック壁状体の前記天板間に型枠部材を掛け渡し、この型枠部材とこの型枠部材上にコンクリートを打設して形成した打設頂版コンクリート部とからなる頂版部を形成したことを特徴とする地下貯水槽用構造体。
【請求項４】
方形の天板及び底板の角部を柱状部で平行に結合した側面に開口部を有する箱型のプレキャストコンクリートブロックを複数形成し、このコンクリートブロックを長さ方向に複数連接したブロック壁状体を立設すると共に、このブロック壁状体を幅方向に間隔をおいて複数設け、幅方向に隣合う前記ブロック壁状体の前記天板間に頂版部を形成した構造体であって、この構造体の底部に、底版コンクリート部を形成し、この底版コンクリート部の上面に、前記ブロック壁状体の底部を挿入する溝部を形成したことを特徴とする地下貯水槽用構造体。
【請求項５】
前記構造体の底部に、底版コンクリート部を形成し、この底版コンクリート部の上面に、前記ブロック壁状体の底部を挿入する溝部を形成したことを特徴とする請求項３記載の地下貯水槽用構造体。
【請求項６】
前記型枠部材に骨組み構造物を設けたことを特徴とする請求項４又は５記載の地下貯水槽用構造体。
【請求項７】
請求項４又は５記載の地下貯水槽用構造体の施工方法において、上面に前記溝部を有する前記底版コンクリート部を形成した後、前記溝部に前記ブロック壁状体の底部を挿入すると共に、この底部と溝部との間に間詰め材を充填し、前記頂版部を形成することを特徴とする地下貯水槽用構造体の施工方法。
【発明の詳細な説明】
【０００１】
【発明の属する技術分野】
本発明は、地下貯水槽を構成するに好適な地下貯水槽用コンクリートブロックに関する。また、本発明はこの地下貯水槽用コンクリートブロックを組み合わせた地下貯水槽用構造体に関する。さらに、本発明はこの地下貯水槽用コンクリートブロックを用いた地下貯水槽用構造体の施工方法に関する。
【０００２】
【従来の技術】
近年、市街区域における舗装率が高くなっているが、雨が降った際にはこの雨水は地下にしみ込むことができないので舗装道路を伝わって下水道へと集められた後に河川に流されている。このような降雨の排水はある程度の雨量に対して対応可能なように計算されているが、大量の雨が降った場合などには、雨水が下水道の許容量を超えてしまい舗装道路に溢れてしまうことになる。そこで、このような場合における対策として地下に貯水槽を構築しておき、この雨水を一時的に地下貯水槽に集めておいて徐々に下水道へ流すようにしている。
【０００３】
このような地下貯水槽としては、地下に構築してその上部を生活環境として利用することから、例えば、以下のようにして施工されるものが用いられている。すなわち、貯水領域の基盤上にコンクリート基礎を形成し、この基礎上に多数のボックスカルバートを前後方向に設置・固定し、このような前後方向に接続したボックスカルバートの列を複数列に互いに間隔をおいて並設する（例えば、特許文献１）。次いで、この各列のボックスカルバートの底部間に鉄筋を埋設して現場コンクリート打ちで床版を形成し、さらに垂直上方に向けてボックスカルバートを順次積み重ねていく。また、各列のボックスカルバートの上部間にあらかじめ内部に鉄筋を埋設してコンクリートで一体に形成した蓋体を順次載置する（例えば特許文献２）。
【０００４】
【特許文献１】
実公平２−３４３０６号公報
【特許文献２】
特開平１０−１３１２４１号公報
【０００５】
【発明が解決しようとする課題】
このような施工方法による地下貯水槽は、上側を一般車両などが通行可能であることが要求されるなど所要の強度を確保する必要があることから、ボックスカルバートを狭い間隔で立ち並べざるを得ず、空間利用率が小さくなってしまうため必要とされる容積よりも大幅に広い領域に構築しなければならないという問題点があった。また、床版をコンクリートの現場打設により形成する場合に、ボックスカルバートが狭い間隔で立ち並べられているので容易な作業ではなく、特に各ボックスカルバートに鉄筋を埋設した上で床版を形成するのは非常に手間のかかる作業であった。
【０００６】
すなわち、特許文献１では、コンクリート基礎を形成し、このコンクリート基礎の上にボックスカルバートを並べた後、隣合うボックスカルバートの底壁部の間にコンクリートを打設するというように、コンクリート基礎と底壁部間のコンクリートとを少なくとも２回打設して養生する必要がある。
【０００７】
また、特許文献１のように、コンクリート基礎にボックスカルバートを並べて配置する場合、ボックスカルバート同士の高さ調整が必要となる。このためコンクリート基礎とボックスカルバートの下面との間にスペーサを設けて高さ調整を行うと、ボックスカルバートが基礎と一体化されず、スペーサを介してボックスカルバートの荷重が基礎に加わるため、基礎の強度が不十分であると、前記荷重により基礎が部分的に損傷したり、不等沈下を起こしたりし易くなる。
【０００８】
特に、これら従来の地下貯水槽は、ボックスカルバートを上下重ねるタイプのものであるので、大型車両や特種車両などの重車両が載るに耐えうるに十分な強度とはいえない、という問題点があった。
【０００９】
一方、地下貯水槽は雨水を溜め込むものであるが、少量ずつではあっても雨水と一緒に土砂が入り込んでしまうことは避けられない。そして、この土砂の蓄積流入量が多くなると地下貯水槽の規定容積を下回ることにもなりかねない。そこで、何年かに一度の割合で地下貯水槽内の清掃をおこなって土砂などを除去してやる必要があるが、上述したような従来の地下貯水槽では、ボックスカルバートが狭い間隔で立ち並べられているので重機などを導入することができないため、床版を清掃するには人手によらなければならず非常に手間のかかるものであった。またボックスカルバート内にも土砂などが溜まるため清掃の必要があるが、このボックスカルバートの出入口も小さいものであるので、この内部の清掃も重労働であった。特に大規模な地下貯水槽ではこの傾向は顕著である。そこで、ボックスカルバートを並べる間隔を空けて小型の重機などを操作できるようにすることが考えられるが、従来のボックスカルバートでは前述したように所定の強度を有する必要があり限界があった。
【００１０】
すなわち、従来は貯留空間占有率が低く（空隙率が高く）、十分な機械的強度を有する地下貯水槽用コンクリートブロックはなかった。もしこのような地下貯水槽用コンクリートブロックを提供できれば、限られたスベースの有効利用を図ることができるだけでなく、施工作業の効率化及び清掃作業の容易化、ひいては作業コストの低減が図れて望ましい。
【００１１】
本発明はかかる課題に鑑みてなされたものであり、地下貯水槽を構成するに好適な強度的に優れた地下貯水槽用コンクリートブロックを提供することを目的とするに関する。また、本発明はこの地下貯水槽用コンクリートブロックを組み合わせた貯留空間占有率が低く、十分な機械的強度を有する地下貯水槽用構造体を提供することを目的とする。さらに、本発明は、貯留空間占有率が低く、十分な機械的強度を有する地下貯水槽を効率よく施工する方法を提供することを目的とする。
【００１２】
【課題を解決するための手段】
本発明の請求項１記載の地下貯水槽用コンクリートブロックは、方形の天板及び底板の角部を柱状部で平行に結合した側面に開口部を有する箱型のプレキャストコンクリートブロックからなり、前記天板の縁に、型枠部材の縁が係合する係合部を形成したものである。
【００１３】
この請求項１の構成により、コンクリートブロックを長さ方向に複数連接したブロック壁状体を立設すると共に、ブロック壁状体を幅方向に間隔をおいて複数設け、隣合うブロック壁状体間において、型枠部材の縁を天板の係合部に係合するようにして、型枠部材を掛け渡し、型枠部材の上にコンクリートを打設してブロック壁状体の上部に型枠部材と打設コンクリートとを一体化して地下貯水槽用構造体を構築することができる。このようにして得られた地下貯水槽用構造体は、壁状体の間に広い空間が形成されると共に、コンクリートブロック自体側面に開口部を有する箱型であるので空間占拠率が大幅に小さくなる。
【００１４】
そして、地下貯水槽の高さに合わせてコンクリートブロックの柱状部の長さを変更すればよく、種々の高さの地下貯水槽の構築に容易に対応できる。
【００１５】
また、請求項２記載の地下貯水槽用コンクリートブロックは、前記請求項１において、前記天板と前記底板の間で隣合う前記柱状部を補強部により連結したものである。
【００１６】
この請求項２の構成によれば、地下貯水槽が高く、柱状部が長くなった場合は、補強部を設けることにより、垂直荷重に対する柱状部の座屈を防止し、効果的に強度を向上することができる。
【００１７】
請求項３記載の地下貯水槽用構造体は、方形の天板及び底板の角部を柱状部で平行に結合した側面に開口部を有する箱型のプレキャストコンクリートブロックを複数形成し、このコンクリートブロックを長さ方向に複数連接したブロック壁状体を立設すると共に、このブロック壁状体を幅方向に間隔をおいて複数設け、幅方向に隣合う前記ブロック壁状体の前記天板間に型枠部材を掛け渡し、この型枠部材とこの型枠部材上にコンクリートを打設して形成した打設頂版コンクリート部とからなる頂版部を形成したものである。
【００１８】
この請求項３の構成によれば、強度的に優れ、広い貯水空間を備えた地下貯水槽が得られる。そして、この地下貯水槽の施工においては、ブロック壁状体の立設位置の間に重機を配置し、ブロックを据え付けてブロック壁状体を施工でき、ブロック壁状体を立設した後、それらの間に型枠部材を掛け渡し、型枠部材の上のコンクリートを打設して構造体を簡便に構築することができる。
【００１９】
請求項４記載の地下貯水槽用構造体は、方形の天板及び底板の角部を柱状部で平行に結合した側面に開口部を有する箱型のプレキャストコンクリートブロックを複数形成し、このコンクリートブロックを長さ方向に複数連接したブロック壁状体を立設すると共に、このブロック壁状体を幅方向に間隔をおいて複数設け、幅方向に隣合う前記ブロック壁状体の前記天板間に頂版部を形成した構造体であって、この構造体の底部に、底版コンクリート部を形成し、この底版コンクリート部の上面に、前記ブロック壁状体の底部を挿入する溝部を形成したものである。
【００２０】
この請求項４の構成によれば、強度的に優れ、広い貯水空間を備えた地下貯水槽が得られる。そして、この地下貯水槽の施工においては、ブロック壁状体の立設位置の間に重機を配置し、ブロックを据え付けてブロック壁状体を施工できる。また、底版コンクリート部の溝部に、ブロック壁状体の底部を挿入し、高さ調整して、溝部に間詰め材を充填することにより、底版コンクリート部にブロック壁状体が据え付けられ、この状態で底版コンクリート部にはブロック壁状体の荷重がその底面全体から加わるから、底版コンクリート部が溝部全体でブロック壁状体を支持し、底版コンクリート部に部分的に集中した荷重が加わることがなく、不等沈下などを防止できる。
【００２１】
請求項５記載の地下貯水槽用構造体は、前記構造体の底部に、底版コンクリート部を形成し、この底版コンクリート部の上面に、前記ブロック壁状体の底部を挿入する溝部を形成したものである。
【００２２】
この請求項５の構成によれば、底版コンクリート部の溝部に、ブロック壁状体の底部を挿入し、高さ調整して、溝部に間詰め材を充填することにより、底版コンクリート部にブロック壁状体が据え付けられ、この状態で底版コンクリート部にはブロック壁状体の荷重がその底面全体から加わるから、底版コンクリート部が溝部全体でブロック壁状体を支持し、底版コンクリート部に部分的に集中した荷重が加わることがなく、不等沈下などを防止できる。
【００２３】
請求項６記載の地下貯水槽用構造体は、前記型枠部材に骨組み構造物を設けたものである。
【００２４】
この請求項６の構成によれば、骨組構造物により両端支持梁として型枠部材の性能が向上し、隣合うブロック壁状体の間を広く取ることができる。
【００２５】
さらに、本発明の請求項７記載の地下貯水槽の施工方法は、請求項４又は５記載の地下貯水槽用構造体の施工方法において、上面に前記溝部を有する前記底版コンクリート部を形成した後、前記溝部に前記ブロック壁状体の底部を挿入すると共に、この底部と溝部との間に間詰め材を充填し、前記頂版部を形成する方法である。
【００２６】
この請求項７の構成によれば、底版コンクリート部が溝部全体でブロック壁状体を支持し、底版コンクリート部に部分的に集中した荷重が加わることがなく、不等沈下などを防止できる。
【００２７】
【発明の実施形態】
以下、本発明の第１実施形態について図１〜図１０を参照して詳細に説明する。図１〜図３は、本実施例の地下貯水槽用コンクリートブロックを示しており、同図において、コンクリートブロック１は、プレキャストコンクリートブロック製であり、方形の天板２及び底板３の角部を柱状部４で平行に結合した構造を有し、この柱状部４は前後側面側の広幅部４ａと左右側面側の細幅部４ｂととから形成されていて、これにより左右側面には大開口部５が形成されるとともに前後側面には小開口部６が形成されている。そして、前記柱状部４の上下内面には、天板２の内面と底板３の内面に向って拡大するテーパ部４ｔが形成されている。
【００２８】
一例として、上述したようなコンクリートブロック１は、本実施例においては左右方向の幅（Ｗ１）２４００ｍｍ×前後方向の長さ（Ｌ１）２８００ｍｍ×高さ（Ｈ１）３６００ｍｍで、小開口部５の幅（Ｗ２）１４００ｍｍ×高さ（Ｈ２）３０００ｍｍで、大開口部６の幅（Ｗ３）２２００ｍｍ×高さ（Ｈ２）３０００ｍｍである。
【００２９】
天板２の左右方向縁に、係合部たる係合段部７を形成し、この係合段部７に、プレキャストコンクリート製からなる平板状の型枠部材１０の端部が載置される。この型枠部材１０には、該型枠部材１０の幅方向に連続した骨組構造物である鉄筋トラス１１を一体に設けている。尚、この鉄筋トラス１１は型枠部材１０の幅方向長さとほぼ同一である。
【００３０】
図４及び図５に示すように、前記鉄筋トラス１１は弦材に鉄筋を用い、上弦材１２の下部両側に下弦材１３，１３を配置し、それら弦材１２，１３，１３は、三角形の頂点の位置にあって、両側の連結斜材１４，１４により一体に連結され、この連結斜材１４は長さ方向の上，下頂点１４Ａ，１４Ｂが交互に形成された三角波型に屈曲形成されたものであり、上頂点１４Ａを上弦材１２に抵抗点溶接で溶着し、下頂点１４Ｂを下弦材１３に抵抗点溶接で溶着してなる。そして、前記両下弦材１３，１３を前記型枠部材１０に埋設すると共に上部を型枠部材１０の上部に露出した状態で前記鉄筋トラス１１が型枠部材１０に一体に設けられている。
【００３１】
次に上述したようなコンクリートブロック１を用いた地下貯水槽用構造体２１について図６〜図１０に基いて説明する。この地下貯水槽用構造体２１は、以下のような構成を有する。前記コンクリートブロック１を長さ方向に複数連接したブロック壁状体２２，２２を備え、このブロック壁状体２２，２２においてコンクリートブロック１をその前後方向に並べると共に、それぞれの前面１ｍと後面１ｕを突き合せ、必要に応じて図示しない連結具により連結する。前記ブロック壁状体２２，２２は幅方向に間隔をおいて平行に複数設けられ、構造体２１の幅方向外側に位置するブロック壁状体２２においては、前後方向に並んだコンクリートブロック１相互の前面１ｍと後面１ｕを水密に接合し、この例では前面１ｍと後面１ｕに、小開口部６を囲むように止水手段たるパッキン２３を設けて水密性を確保している。
【００３２】
前記構造体２１の底部には、底版コンクリート部３１を設ける。この底版コンクリート部３１の上面に前記ブロック壁状体２２の低部を挿入する溝部３２，３２Ａを形成する。構造体２１の幅方向中央の溝部３２は、底版コンクリート部３１の上面より低い位置にある底面３３とこの底面３３の両側位置する段部３４，３４とを有し、幅方向外側の溝部３２Ａは、底面３３とこの底面３３の中央側に段部３４を有する。そして、前記溝部３２，３２Ａの幅はコンクリートブロック１の底部の幅より広く形成され、溝部３２，３２Ａとコンクリートブロック１の底部との間には間詰め材たる間詰めコンクリート３５が充填される。尚、底版コンクリート部１６の内部には鉄筋３６が配鉄される。
【００３３】
隣合う前記ブロック壁状体２２，２２の天板２，２間に前記型枠部材１０が掛け渡され、構造体２１の上面のほぼ前面に型枠部材１０，１０…を掛け渡し、型枠部材１０，１０…の上に、現場でコンクリートを打設し、この打設頂版コンクリート部１６と前記型枠部材１０とが一体となった頂版部１７が形成される。
【００３４】
また、構造体２１の前後には、プレキャストコンクリート製の閉塞ブロック４１が設けられ、この閉塞ブロック４１は、構造体２１の前面又は後面を塞ぐ縦壁状の閉塞部４２と、この閉塞部４２に一体に設けた底板部４３とを有するＬ型ブロックであって、底板部４３をほぼ水平に載置して自立性を有する。また、据付状態で前記閉塞部４２の上端は前記天板２より上部に突出し、閉塞部４２の内面が打設頂版コンクリート部１６の型枠を兼用し、図８に示すように、閉塞部４２の高さに合わせて打設頂版コンクリート部１６を打設する。
【００３５】
さらに、上述したようなコンクリートブロック１を用いた地下貯水槽の施工方法について説明する。まず、地面を所定の深さに床付けして根切り底に割り栗石（図示せず）を敷き詰め、均して貯水領域Ａを規定する。次に、貯水領域Ａ上に、鉄筋３６を配筋すると共にコンクリートを打設して底版コンクリート部３１を形成する。尚、この場合、貯水領域Ａの全体にほぼ１度のコンクリート打設により底版コンクリート部３１を形成する。底版コンクリート部３１を養生した後、溝部３２，３２Ａにコンクリートブロック１の底部を挿入すると共に前後方向に連接してブロック状壁状体２２，２２を組み立て、高さ調整を行って溝部３２，３２Ａに間詰めコンクリート３５を充填して据え付ける。この場合、隣合うブロック壁状体２２，２２の底版コンクリート部３１には広い間隔があるから、底版コンクリート部３１の上にクレーンなどの重機（図示せず）を搬入し、コンクリートブロック１の吊上げ据付けを行うことができる。また、溝部３２，３２Ａに充填した間詰めコンクリート３５は、溝部３２，３２Ａの底面３３とブロックの底板３との間に確実に充填されるから、該間詰めコンクリート３５が硬化した後、コンクリートブロック１の荷重が底面３３全体で支持される。前記コンクリートブロック１の高さ調整においては、隣合うブロック状壁状体２２，２２の段部７，７の高さを合わせるようにする。そして、隣合うブロック状壁状体２２，２２の段部７，７に型枠部材１０の幅方向端部を載置するようにして、幅方向に隣合うブロック壁状体２２，２２の天板２，２間に型枠部材１０を掛け渡し、この型枠部材１０とこの型枠部材１０上にコンクリートを打設して形成した打設頂版コンクリート部１６とからなる頂版部１７を形成する。そして、打設頂版コンクリート部１６とコンクリートブロック１の天板２とが一体化し、ブロック壁状体２２，２２と頂版部１７とが一体化される。
【００３６】
また、構造体２１の前面及び後面は、閉塞ブロック４１を構造体２１の左右方向に並べて閉塞する。この場合、少なくとも、左右方向両側のブロック壁状体２２の前面及び後面に閉塞ブロック４１の閉塞部４２を水密に突き合せる。尚、構造体２１の幅方向両側に位置するブロック１はその大開口部６を適宜手段で塞ぐようにする。
【００３７】
このように本実施形態では、請求項１に対応して、方形の天板２及び底板３の角部を柱状部４，４，４，４で平行に結合した側面に開口部５，６を有する箱型のプレキャストコンクリートブロック１からなり、天板２の縁に、型枠部材１０の縁が係合する係合部たる係合段部７を形成したから、コンクリートブロック１を長さ方向に複数連接したブロック壁状体２２，２２を立設すると共に、ブロック壁状体２２，２２を幅方向に間隔をおいて複数設け、隣合うブロック壁状体２２，２２間において、型枠部材１０の縁を天板２の係合段部７に係合するようにして、型枠部材１０を掛け渡し、型枠部材１０の上にコンクリートを打設してブロック壁状体２２の上部に型枠部材１０と頂版打設コンクリート部１６とを一体化して地下貯水槽用構造体２１を構築することができる。このようにして得られた地下貯水槽用構造体２１は、壁状体２２の間に広い空間が形成されると共に、コンクリートブロック１自体側面に開口部５，６を有する箱型であるので空間占拠率が大幅に小さくなる。また、このようにブロック壁状体２２，２２の上部は頂版部１７により一体化されると共に、ブロック壁状体２２，２２の下部は底版コンクリート部３１と一体化されるため、構造体２１は横方向からの荷重に対して強い構造を備え、地震などの横揺れに対して耐震性を備えた構造となる。
【００３８】
また、このように本実施形態では、請求項３に対応して、方形の天板２及び底板３の角部を柱状部４で平行に結合した側面に開口部５，６を有する箱型のプレキャストコンクリートブロック１を複数形成し、このコンクリートブロック１を長さ方向に複数連接したブロック壁状体２２を立設すると共に、このブロック壁状体２２を幅方向に間隔をおいて複数設け、幅方向に隣合うブロック壁状体２２，２２の天板２，２間に型枠部材１０を掛け渡し、この型枠部材１０とこの型枠部材１０上にコンクリートを打設して形成した打設頂版コンクリート部１６とからなる頂版部１７を形成したから、強度的に優れ、広い貯水空間を備えた地下貯水槽が得られる。そして、この地下貯水槽の施工においては、ブロック壁状体２２の立設位置の間に重機を配置し、ブロック１を据え付けてブロック壁状体２２を施工でき、ブロック壁状体２２を立設した後、それらの間に型枠部材１０を掛け渡し、型枠部材１０の上のコンクリートを打設して構造体２１を簡便に構築することができる。
【００３９】
また、このように本実施形態では、請求項４に対応して、方形の天板２及び底板３の角部を柱状部４で平行に結合した側面に開口部５，６を有する箱型のプレキャストコンクリートブロック１を複数形成し、このコンクリートブロック１を長さ方向に複数連接したブロック壁状体２２を立設すると共に、このブロック壁状体２２を幅方向に間隔をおいて複数設け、幅方向に隣合うブロック壁状体２２の天板２，２間に頂版部１７を形成した構造体２１であって、構造体２１の底部に、底版コンクリート部３１を形成し、この底版コンクリート部３１の上面に、ブロック壁状体２２の底部を挿入する溝部３２を形成したから、強度的に優れ、広い貯水空間を備えた地下貯水槽が得られる。そして、この地下貯水槽の施工においては、ブロック壁状体２２の立設位置の間に重機を配置し、ブロック１を据え付けてブロック壁状体２２を施工できる。また、底版コンクリート部３１の溝部３２に、ブロック壁状体２２の底部を挿入し、高さ調整して、溝部３２に間詰めコンクリート３５を充填することにより、底版コンクリート部３１にブロック壁状体２２が据え付けられ、この状態で底版コンクリート部３１にはブロック壁状体２２の荷重がその底面全体から加わるから、底版コンクリート部３１が溝部３２の底面３３全体でブロック壁状体２２を支持し、底版コンクリート部３１に部分的に集中した荷重が加わることがなく、不等沈下などを防止できる。
【００４０】
また、このように本実施形態では、請求項５に対応して、構造体２１の底部に、底版コンクリート部３１を形成し、この底版コンクリート部３１の上面に、ブロック壁状体２２の底部を挿入する溝部３２を形成したから、底版コンクリート部３１の溝部３２に、ブロック壁状体２２の底部を挿入し、高さ調整して、溝部３２に間詰めコンクリート３５を充填することにより、底版コンクリート部３１にブロック壁状体２２が据え付けられ、この状態で底版コンクリート部３１にはブロック壁状体２２の荷重がその底面全体から加わるから、底版コンクリート部３１が溝部３２の底面３３全体でブロック壁状体２２を支持し、底版コンクリート部３１に部分的に集中した荷重が加わることがなく、不等沈下などを防止できる。
【００４１】
また、このように本実施形態では、請求項６に対応して、型枠部材１０に骨組み構造物たる鉄筋トラス１１を設けたから、鉄筋トラス１１により両端支持梁として型枠部材１０の性能が向上し、隣合うブロック壁状体２２，２２の間を広く取ることができる。
【００４２】
このように本実施形態では、請求項７に対応して、請求項４記載の地下貯水槽用構造体２１の施工方法において、上面に溝部３２を有する底版コンクリート部３１を形成した後、溝部３２にブロック壁状体２２の底部を挿入すると共に、この底部と溝部３２との間に間詰め材たる間詰めコンクリート３５を充填し、幅方向に隣合うブロック壁状体２２，２２の天板２，２間に型枠部材１０を掛け渡した後、型枠部材１０の上にコンクリートを打設して頂版部１７を形成するから、底版コンクリート部３１が溝部３２全体でブロック壁状体２２を支持し、底版コンクリート部３１に部分的に集中した荷重が加わることがなく、不等沈下などを防止できる。また、型枠部材１０自体が頂版部１７の一部を構成する場合は、現場での型枠の組立て及び取外し作業が不要となり、現場での施工コストを削減することができる。
【００４３】
また、実施形態上の効果として、骨組構造物が鉄筋トラス１１であり、該鉄筋トラス１１の一部が型枠部材４の上部に出ているから、型枠部材４が両端支持梁として長いスパンに対応可能となり、また、鉄筋トラス１１の一部が打設コンクリート部５内に埋設されるから、型枠部材４と打設コンクリート部５との一体化が図られる。
【００４４】
図１１〜図１２は本発明の第２実施形態を示し、上記第１実施形態と同一部分に同一符号を付し、その詳細な説明を省略して詳述すると、この例では、第１実施形態に比べてコンクリートブロック１の高さを低くし、例えば高さ（Ｈ１）を２１００ｍｍとしており、柱状部４を短くすることにより高さを変えており、このように柱状部４の長さを変えるだけで、構造体２１の高さを設計に合わせて変更でき、例えば５００ｍｍピッチで構造体２１を設定している。
【００４５】
図１３〜図１７は本発明の第３実施形態を示し、上記各実施形態と同一部分に同一符号を付し、その詳細な説明を省略して詳述すると、この例では、第１実施形態に比べてコンクリートブロック１の高さを高く、例えば高さ（Ｈ１）を６６００ｍｍとしており、柱状部４を長くすることにより高さを変えており、このように柱状部４の長さを変えるだけで、構造体２１の高さを設計に合わせて変更でき、例えば５００ｍｍピッチで構造体２１を設定している。また、天板２と底板３の間で隣合う柱状部４，４を補強部たる横桟部５１により連結している。その横桟部５１の両側には、柱状部４の内面に向って拡大するテーパ部４ｔが形成されている。
【００４６】
このように本実施形態では、請求項２に対応して、天板２と底板３の間で隣合う柱状部４を補強部により連結したものであるから、地下貯水槽が高く、柱状部が長くなった場合は、補強部たる横桟部５１を設けることにより、垂直荷重に対する柱状部４の座屈を防止し、効果的に強度を向上することができる。
【００４７】
図１８は本発明の第４実施形態を示し、上記各実施形態と同一部分に同一符号を付し、その詳細な説明を省略して詳述すると、この例では、コンクリートブロック１の一方の大開口部５に閉塞板部６１を設けて塞いでおり、このブロック１を構造体２１の幅方向両側に設けることにより、幅方向両側のブロック壁状体２２が前後方向に水密に形成され、前記閉塞ブロック４１が不要となる。尚、構造体２１の外側に閉塞板部６１を向けてブロック１を並べる。
【００４８】
図１９は本発明の第５実施形態を示し、上記各実施形態と同一部分に同一符号を付し、その詳細な説明を省略して詳述すると、この例の頂版部１７Ａは、幅方向に隣合うブロック壁状体２２，２２の天板２，２間に、コンクリート製プレキャスト頂版部材６１，６２を掛け渡して形成しており、これら頂版部材６１，６２の端部には前記係合段部７に係合する係合部６３が形成されている。したがって、頂版部１７Ａの施工において、現場でコンクリートを打設する必要がない。
【００４９】
このように本実施形態では、請求項４に対応して、方形の天板２及び底板３の角部を柱状部４で平行に結合した側面に開口部５，６を有する箱型のプレキャストコンクリートブロック１を複数形成し、このコンクリートブロック１を長さ方向に複数連接したブロック壁状体２２を立設すると共に、このブロック壁状体２２を幅方向に間隔をおいて複数設け、幅方向に隣合うブロック壁状体２２の天板２，２間に頂版部１７Ａを形成した構造体２１であって、構造体２１の底部に、底版コンクリート部３１を形成し、この底版コンクリート部３１の上面に、ブロック壁状体２２の底部を挿入する溝部３２を形成したから、上記各実施形態と同様な作用・効果を奏し、また、この例では頂版部１７Ａの施工において、現場でコンクリートを打設する必要がなく、更なる工期の短縮が可能となる。
【００５０】
以上本発明の各実施例について添付図面を参照して説明してきたが、本発明は前記実施例に限定されず、種々の変形実施可能である。例えば、構造体の左右方向両側にはブロック壁状体を必ずしも設ける必要はなく、構造体の左，右面を閉塞ブロック４１などの他のブロックで塞ぐようにしてもよい。また、型枠部材に、骨組み構造物以外の他の補強部材を設けるようにしてもよい。
【００５１】
【発明の効果】
本発明の請求項１記載の地下貯水槽用コンクリートブロックは、方形の天板及び底板の角部を柱状部で平行に結合した側面に開口部を有する箱型のプレキャストコンクリートブロックからなり、前記天板の縁に、型枠部材の縁が係合する係合部を形成したものであり、地下貯水槽を構成するに好適な強度的に優れた地下貯水槽用コンクリートブロックを提供することができる。
【００５２】
また、請求項２記載の地下貯水槽用コンクリートブロックは、前記請求項１において、前記天板と前記底板の間で隣合う前記柱状部を補強部により連結したものであり、地下貯水槽を構成するに好適な強度的に優れた地下貯水槽用コンクリートブロックを提供することができる。
【００５３】
請求項３記載の地下貯水槽用構造体は、コンクリートブロックを長さ方向に複数連接したブロック壁状体を立設すると共に、このブロック壁状体を幅方向に間隔をおいて複数設け、幅方向に隣合う前記ブロック壁状体の前記天板間に型枠部材を掛け渡し、この型枠部材とこの型枠部材上にコンクリートを打設して形成した打設頂版コンクリート部とからなる頂版部を形成したものであり、貯留空間占有率が低く、十分な機械的強度を有する地下貯水槽用構造体を提供することができる。
【００５４】
請求項４記載の地下貯水槽用構造体は、コンクリートブロックを長さ方向に複数連接したブロック壁状体を立設すると共に、このブロック壁状体を幅方向に間隔をおいて複数設け、幅方向に隣合う前記ブロック壁状体の前記天板間に頂版部を形成した構造体であって、この構造体の底部に、底版コンクリート部を形成し、この底版コンクリート部の上面に、前記ブロック壁状体の底部を挿入する溝部を形成したものであり、貯留空間占有率が低く、十分な機械的強度を有する地下貯水槽用構造体を提供することができる。
【００５５】
請求項５記載の地下貯水槽用構造体は、前記構造体の底部に、底版コンクリート部を形成し、この底版コンクリート部の上面に、前記ブロック壁状体の底部を挿入する溝部を形成したものであり、貯留空間占有率が低く、十分な機械的強度を有する地下貯水槽用構造体を提供することができる。
【００５６】
請求項６記載の地下貯水槽用構造体は、前記型枠部材に骨組み構造物を設けたものであり、貯留空間占有率が低く、十分な機械的強度を有する地下貯水槽用構造体を提供することができる。
【００５７】
さらに、本発明の請求項７記載の地下貯水槽の施工方法は、請求項４記載の地下貯水槽用構造体の施工方法において、上面に前記溝部を有する前記底版コンクリート部を形成した後、前記溝部に前記ブロック壁状体の底部を挿入すると共に、この底部と溝部との間に間詰め材を充填し、幅方向に隣合う前記ブロック壁状体の前記天板間に型枠部材を掛け渡した後、前記型枠部材の上にコンクリートを打設して前記頂版部を形成する方法であり、貯留空間占有率が低く、十分な機械的強度を有する地下貯水槽を効率よく施工する方法を提供することができる。
【図面の簡単な説明】
【図１】本発明の第１実施例による地下貯水槽用コンクリートブロックの斜視図である。
【図２】同上、コンクリートブロックの正面図であり、底版コンクリート部を断面にして図示している。
【図３】同上、コンクリートブロックの側面図である。
【図４】同上、骨組構造物の斜視図である。
【図５】同上、型枠部材の要部の断面図である。
【図６】同上、地下貯水槽用構造体の一部切欠き斜視図である。
【図７】同上、地下貯水槽用構造体の幅方向（左右方向）の断面図である。
【図８】同上、地下貯水槽用構造体の長さ方向（前後方向）の断面図である。
【図９】同上、地下貯水槽用構造体の平面図である。
【図１０】同上、底版コンクリート部の溝部とブロックの底部の据付状態を示す断面図である。
【図１１】本発明の第２実施形態を示す地下貯水槽用構造体の幅方向（左右方向）の断面図である。
【図１２】同上、地下貯水槽用構造体の長さ方向（前後方向）の断面図である。
【図１３】本発明の第３実施例による地下貯水槽用コンクリートブロックの斜視図である。
【図１４】同上、コンクリートブロックの正面図であり、底版コンクリート部を断面にして図示している。
【図１５】同上、コンクリートブロックの側面図である。
【図１６】同上、地下貯水槽用構造体の幅方向（左右方向）の断面図である。
【図１７】同上、地下貯水槽用構造体の長さ方向（前後方向）の断面図である。
【図１８】本発明の第３実施形態を示す地下貯水槽用コンクリートブロックの斜視図である。
【図１９】本発明の第４実施例による地下貯水槽用構造体の幅方向（左右方向）の断面図である。
【符号の説明】
１  コンクリートブロック
２  天板
３  底板
４  柱状部
５  大開口部
６  小開口部
７  段部（係合部）
１０  型枠部材
１１  鉄筋トラス（骨組構造物）
１６  打設頂版コンクリート部
１７  頂版部
１７Ａ  頂版部
２１  構造体
２２  ブロック壁状体
３１  底版コンクリート部
３２，３２Ａ  溝部
３５  間詰めコンクリート（間詰め材）
５１  横桟部（補強部）
Ａ  貯水領域
【図１】
2004162445.tif 000003
【図２】
2004162445.tif 000004
【図３】
2004162445.tif 000005
【図４】
2004162445.tif 000006
【図５】
2004162445.tif 000007
【図６】
2004162445.tif 000008
【図７】
2004162445.tif 000009
【図８】
2004162445.tif 000010
【図９】
2004162445.tif 000011
【図１０】
2004162445.tif 000012
【図１１】
2004162445.tif 000013
【図１２】
2004162445.tif 000014
【図１３】
2004162445.tif 000015
【図１４】
2004162445.tif 000016
【図１５】
2004162445.tif 000017
【図１６】
2004162445.tif 000018
【図１７】
2004162445.tif 000019
【図１８】
2004162445.tif 000020
【図１９】
2004162445.tif 000021